(57)【要約】　
【課題】　胸当てを覆うカバー体を簡単に取り替えできるようにした便利で衛生的なよだれかけを提供する。
【解決手段】　表面側の上部に、胸当て２のほぼ全面を覆うカバー体１０を着脱自在に係着できるクリップ６を設ける。このクリップ６は、前記カバー体１０の一部を挟み込んで係着できる切り溝７を備えている。本構成では、ハンドタオルやキッチンペーパー等をそのままカバー体１０に使用することができ、且つ、これらの着脱は極めて簡単であるため、汚れたら直ぐ替えても苦にならない。また、キッチンペーパーは使い捨てができ、洗濯の手間が省ける。
【選択図】　図３
0003100351.tif 000002
【実用新案登録請求の範囲】
【請求項１】
表面側の上部に、胸当てのほぼ全面を覆うカバー体を着脱自在に係着できるクリップを設けたことを特徴とするよだれかけ。
【請求項２】
前記クリップは、前記カバー体の一部を挟み込んで係着できる切り溝を備えることを特徴とする請求項１に記載のよだれかけ。
【請求項３】
前記胸当ての下端にポケットを備え、当該ポケット内を覆うように前記カバー体が係着されることを特徴とする請求項１または請求項２の何れかに記載のよだれかけ。
【考案の詳細な説明】
【技術分野】
【０００１】
　本考案は、特に乳幼児が使用して好適なよだれかけに関するものである。
【背景技術】
【０００２】
　従来、乳幼児のよだれや食事の際の食べこぼし等による衣服の汚れを防止するものとして、よだれかけが知られている。この種のよだれかけは、乳幼児の胸から腹部を覆う胸当てと、この胸当てを体に固定する首紐（或いは、首紐と胴紐）を備えたものが一般的であり、また、胸当ての下端部にアクセントを兼ねたポケットを設けたよだれかけも知られている。
【考案の開示】
【考案が解決しようとする課題】
【０００３】
　よだれかけは、主に布製やビニールコーティング素材が用いられているが、布製のよだれかけは水分を良く吸収し、よだれかけを通して乳幼児の肌（特に顎の当たり）を常にべたべた濡れの不潔な状態にして、ただれやかぶれの原因となるため、頻繁に取り替えなければならず、また、洗濯も大変である。良く動く元気な乳幼児は、よだれかけの取り替えも大仕事である。
　また、ビニールコーティングのように水分を吸収しない素材は、布製と違ってベタベタ汚れには良いが、よだれかけを伝って垂れ落ちる水分をタオル等で拭き取るといった手間が掛かる。また、ポケットがあると、こぼれたものをキャッチできるが、ポケット内に溜まった汚れは落としずらく、よって、洗濯に手間が掛かる。
【０００４】
　本考案は、このような問題点に鑑みて成されたもので、胸当てを覆うカバー体を簡単に取り替えできるようにした衛生的なよだれかけを提供することを目的としている。
【課題を解決するための手段】
【０００５】
　すなわち、請求項１に記載の本考案は、表面側の上部に、胸当てのほぼ全面を覆うカバー体を着脱自在に係着できるクリップを設けたことを特徴としている。
　本構成では、よだれかけを何時までも汚さずに済み、且つ、よだれや食べこぼしで汚れてもカバー体を取り替えるだけで済むので常に清潔を維持できる。
【０００６】
　また、請求項２に記載の本考案は、請求項１に記載のよだれかけにおいて、前記クリップは、前記カバー体の一部を挟み込んで係着できる切り溝を備えることを特徴としている。
　本構成では、カバー体に特別の係着用部材は不要であることから、市販のハンドタオルやキッチンペーパー等をそのままカバー体として用いることができ、且つ、これらを簡単に着脱できるため、汚れたら直ぐ替えても苦にならない。キッチンペーパーを使用して使い捨てにすれば、洗濯の手間を省くことができる。
【０００７】
　また、請求項３に記載の本考案は、請求項１または請求項２の何れかに記載のよだれかけにおいて、前記胸当ての下端にポケットを備え、当該ポケット内を覆うように前記カバー体が係着されることを特徴としている。
　本構成では、ポケット内に溜まった汚れはカバー体ごと取り除けるため、ポケット内に汚れが付着せず極めて清潔であり、また、キッチンペーパーを使用して使い捨てにすれば、洗濯の手間が省けて便利である。
【考案の効果】
【０００８】
　以上説明したように、請求項１に記載の考案によれば、よだれかけの表面側の上部に、胸当てのほぼ全面を覆うカバー体を着脱自在に係着できるクリップを設けたので、汚れてもカバー体を取り替えるだけで済むのでよだれかけを何時までも汚さずに清潔にしておくことができる。
【０００９】
　また、請求項２に記載の考案によれば、上記クリップは、カバー体を挟み込む切り溝を備えているので、ハンドタオルやキッチンペーパー等をそのまま使用することができ、且つ、これらの着脱は極めて簡単であり、汚れたら直ぐ替えても苦にならない。また、キッチンペーパーを使用すれば使い捨てができ、洗濯の手間を省くことができる。
【００１０】
　また、請求項３に記載の考案によれば、胸当ての下端に設けたポケットの内部を覆うようにカバー体が係着されるため、ポケット内に溜まった汚れはカバー体ごと取り除けるため、ポケット内に汚れが付着せず極めて清潔であり、また、キッチンペーパーを使用して使い捨てにすれば、洗濯の手間が省けて便利である。
【考案を実施するための最良の形態】
【００１１】
　以下、図１〜図４に基づいて本考案の実施形態を説明する。
　図１は本考案に係るよだれかけを示す正面図、図２は下部にポケットを作ったよだれかけの正面図、図３は図１においてカバー体を装着した状態を示す図、図４は図２において係着したカバー体の裾をポケット内に入れた状態を示す図である。
【００１２】
　図１に示すように、本実施形態のよだれかけ１は、ステッチ仕上げで縁取りされた角部の丸い胸当て２と、胸当て２の上部一側端に設けた幅広の首紐３とを備え、首紐３の先端は、面ファスナー４にて胸当て２の上部の他端で止められるようになっている。また、胸当て２の下部は裏面側が２重となっていて、図２に示すように、この２重箇所を表にひっくり返すことによってポケット５となる。尚、よだれかけ１としては、よだれ等の水分を良く吸収する紙や木綿（タオル地）や、水分を通しずらいナイロン、ポリエステルやビニールコーティング地等、一般的なよだれかけに用いる素材が使用されている。
【００１３】
　上記構成の他、本実施形態のよだれかけ１には、その表面側の上部両側に胸当て２を覆うカバー体１０を係着するための一対のクリップ６、６が取り付けてある。このクリップ６は合成樹脂製円板の中心部分に十字状の切り溝７を設けたものであって、この切り溝７内に布片の端部を挟み込むことによって布片を係着することができるため、布片側には特別の係着用部材を必要としない。
【００１４】
　図３は、クリップ６の切り溝７にハンドタオル１０を挟み込んで胸当て２のほぼ全面を覆った例である。
　ハンドタオル１０のセットは、布端を指先で切り溝７内に押し込むだけで良いから片手でも簡単に行え、着脱は極めて容易であり、良く動く元気な乳幼児であっても、ハンドタオル１０の取り替えは楽に行え、そしてこまめに洗濯できる。　従って、よだれかけ１を何時までも汚さずにして、乳幼児の顎の当たりをいつも清潔な状態にしておくことができる。また、このハンドタオル１０の下端は固定されずに自由な状態であるから、タオルを捲り上げて乳幼児の口元を拭うことができる。紙やタオル地は水分も汚れも良く吸い取るから、乳幼児の顎や口元をべたべた濡れの不潔な状態にしてただれやかぶれを引き起こすことがなくなる。
【００１５】
　また、図４に示すように、クリップ６にキッチンペーパー１０を係着して、その裾部でポケット５の内部を覆うようにすると、ポケット５内に溜まった汚れをペーパーごと取り除いて使い捨てできるため、ポケット内に汚れが残らず極めて清潔であり、且つ、洗濯の手間が省けて便利である。
【００１６】
　以上の実施形態では、カバー体１０を係着するクリップとして、中心部分に十字状の切り溝７を設けた合成樹脂製の円板を用いたが、これに替わる他の係着機構を用いることも勿論可能である。
【図面の簡単な説明】
【００１７】
【図１】本発考案に係るよだれかけを示す図。
【図２】同、よだれかけの下部にポケットを作った状態を示す図。
【図３】同、よだれかけの前部にカバー体を係着した状態を示す図。
【図４】同、よだれかけの前部に係着したカバー体の裾部をポケットの中に入れた状態を示す図。
【符号の説明】
【００１８】
　１　よだれかけ
　２　胸当て
　５　ポケット
　６　クリップ
　７　切り溝
１０　カバー体（ハンドタオル、キッチンペーパー）
【図１】
0003100351.tif 000003
【図２】
0003100351.tif 000004
【図３】
0003100351.tif 000005
【図４】
0003100351.tif 000006